(57)【要約】【課題】分離票のサイズを自由に設定することができ、しかも簡単かつ確実に分離票を切り離すことができるようにする。【解決手段】接着力を有する透視可能な接着剤層１１と、接着剤層１１の表面に貼付された表面基材１２と、接着剤層１１の裏面に粘着剤層１９を介して貼付された裏面基材１３と、から構成され、表面基材１２から接着剤層１１に向けて切り込み形成され、表面基材１２を本票１６と分離票１７に区切る表面側ハーフカット部１５と、裏面基材１３から接着剤層１１に向けて切り込み形成され、裏面基材１３を本票１６に対向した剥離片２２と分離票１７に対向した非剥離片２３に区切る裏面側ハーフカット部２１と、非剥離片２３の表面に印刷された情報表示部２５と、を備え、分離票１７が剥離剤層１４を介して接着剤層１１に擬似接着され、かつ、剥離片２２が剥離剤層２４を介して粘着剤層１９に貼り合わされた配送伝票１０を提供する。【選択図】図３
2011121362.tif 000002
【特許請求の範囲】
【請求項１】
接着力を有する透視可能な接着剤層と、
接着剤層の表面に貼付された表面基材と、
接着剤層の裏面に粘着剤層を介して貼付された裏面基材と、から構成され、
表面基材から接着剤層に向けて切り込み形成され、表面基材を本票と分離票に区切る表面側ハーフカット部と、
裏面基材から接着剤層に向けて切り込み形成され、裏面基材を本票に対向した剥離片と分離票に対向した非剥離片に区切る裏面側ハーフカット部と、
非剥離片の表面に印刷された情報表示部と、を備え、
分離票が剥離剤層を介して接着剤層に擬似接着され、かつ、剥離片が剥離剤層を介して粘着剤層に貼り合わされている
ことを特徴とする配送伝票。
【請求項２】
裏面基材の少なくとも周縁２辺、３辺、又は４辺に沿って裏面側ハーフカット部が形成されており、その周縁部に剥離片が設けられていることを特徴とする請求項１に記載の配送伝票。
【請求項３】
接着剤層が分離票の部分のみに設けられていることを特徴とする請求項１又は２に記載の配送伝票。
【請求項４】
裏面側ハーフカット部が表面側ハーフカット部よりも本票側にずらした位置に配置されていることを特徴とする請求項１乃至３のいずれか１項に記載の配送伝票。
【発明の詳細な説明】
【技術分野】
【０００１】
本発明は、通信販売業界や百貨店業界あるいは運輸業界において、商品を配送する際に使用される配送伝票に関する。
【背景技術】
【０００２】
従来、商品の配送時に使用される配送伝票として、本出願人が先に出願した２枚構造の配送伝票が知られている（例えば特許文献１を参照）。図１５と図１６に示すように、この従来の配送伝票１は、台紙２に上紙３を剥離可能に貼り合わせたもので、ミシン目からなる輪郭切り取り線４によって上紙３が本票３ａと分離票３ｂに区切られ、輪郭切り取り線４よりもひと回り大きな輪郭ハーフカット線５によって台紙２が剥離片２ａと非剥離片２ｂに区切られている。また、非剥離片２ｂの表面には宣伝や広告を印刷した情報表示部６が設けられている。
【０００３】
そして、図１７に示すように、配送時に非剥離片２ｂを残した状態で剥離片２ａを剥がし取ると、剥離片２ａが剥離剤層７を介して剥離され、本票３ａの裏面に露出した粘着剤層８により配送伝票１を配送予定の商品（被着体）に貼付することができる。また、図１８に示すように、被着体１００に貼付された配送伝票１は、輪郭切り取り線４のミシン目を切断して本票３ａから分離票３ｂを切り離すと、分離票３ｂに隠れていた非剥離片２ｂの表面の情報表示部６が現れるようになっている。
【先行技術文献】
【特許文献】
【０００４】
【特許文献１】特許第３９６０５５２号公報
【発明の概要】
【発明が解決しようとする課題】
【０００５】
ところで、上記のような従来の配送伝票１は、情報表示部６に印刷した宣伝や広告を商品の受取人に伝達できるというメリットがある反面、分離票３ｂを非剥離片２ｂよりもひと回り小さなサイズに設定しなければならないという制約がある。このため、分離票３ｂに印刷される送り主や送り先等の配送情報の印刷スペースが狭くなってしまうという問題があった。また、分離票３ｂを切り離す時に、輪郭切り取り線４のミシン目を切断しなければならないので、その作業が面倒であるとともに、場合によってはうまく切り取れずに分離票３ｂが破れてしまうという問題もあった。
【０００６】
本発明は、このような問題を解決するためになされたものであり、その目的とするところは、分離票のサイズを自由に設定することができ、しかも簡単かつ確実に分離票を切り離すことができる配送伝票を提供することにある。
【課題を解決するための手段】
【０００７】
上記の目的を達成するため、本発明による配送伝票は、接着力を有する透視可能な接着剤層と、接着剤層の表面に貼付された表面基材と、接着剤層の裏面に粘着剤層を介して貼付された裏面基材と、から構成され、表面基材から接着剤層に向けて切り込み形成され、表面基材を本票と分離票に区切る表面側ハーフカット部と、裏面基材から接着剤層に向けて切り込み形成され、裏面基材を本票に対向した剥離片と分離票に対向した非剥離片に区切る裏面側ハーフカット部と、非剥離片の表面に印刷された情報表示部と、を備え、分離票が剥離剤層を介して接着剤層に擬似接着され、かつ、剥離片が剥離剤層を介して粘着剤層に貼り合わされていることを特徴とするものである。
【０００８】
ここで、透視可能な接着剤層とは、接着剤を硬化させて無色透明、有色透明、あるいは半透明な層状にしたものであり、表面基材を接着し、また、表面基材裏面に塗工された剥離剤層を介してその部分の表面基材（分離票となる部分）を擬似接着する機能を有するとともに、下層にある情報表示部を透かして見ることができるものをいう。表面基材としては、印刷可能なものであればその素材は特に限定されず、例えば上質紙、普通紙、再生紙等の各種紙類や、ポリエステルフィルム、ポリプロピレンフィルム等の各種樹脂フィルムを使用することができる。裏面基材としては、表面基材と同様に、各種の紙類や樹脂フィルムを使用することができる。
【０００９】
また、上記の構成によれば、分離票は接着剤層に擬似接着されているが、本発明において「擬似接着」とは、剥離後に再貼付できないように接着されている状態だけでなく、剥離後に再貼付できるように接着されている状態も含む。これに対して、剥離片は粘着剤層に貼り合わされているので、剥離片を剥がした後に露出する粘着剤層によって配送伝票を再貼付することができる。
【００１０】
また、本発明による配送伝票において、裏面基材の少なくとも周縁２辺、３辺、又は４辺に沿って裏面側ハーフカット部が形成されており、その周縁部に剥離片が設けられていれば良い。
【００１１】
また、本発明による配送伝票において、接着剤層が分離票の部分のみに設けられていると、接着剤層を形成するための高価な接着剤の使用量が最小限で済み、低コストで製造することができるので好ましい。
【００１２】
更に、本発明による配送伝票において、裏面側ハーフカット部が表面側ハーフカット部よりも本票側にずらした位置に配置されていると、分離票を剥がし取った後、非剥離片の一部が本票によって支持され、非剥離片に印刷された情報表示部を確実に保持することができるので好ましい。
【発明の効果】
【００１３】
本発明の配送伝票によれば、情報表示部が接着剤層によって覆われているので、分離票を非剥離片より小さなサイズに設定しなくても良い。このため、分離票のサイズや形状を自由に設定することが可能になり、分離票に印刷される配送情報の印刷スペースを広く確保することができる。また、分離票と接着剤層は剥離剤層を介して擬似接着され、本票と分離票の境界には予めカット加工された表面側ハーフカット部が設けられている。このため、被着体に貼付された配送伝票から分離票を剥がす際に、本票と分離票を互いに破損することなく簡単かつ確実に分離票を切り離すことができる。
【図面の簡単な説明】
【００１４】
【図１】第１実施形態の配送伝票を表面から見た平面図。
【図２】第１実施形態の配送伝票を裏面から見た平面図。
【図３】図１のＡ−Ａ断面図。
【図４】第１実施形態の配送伝票の剥離片を剥がす時の状態を示す平面図。
【図５】第１実施形態の配送伝票の剥離片を剥がす時の状態を示す断面図。
【図６】第１実施形態の配送伝票から分離票を剥がす時の状態を示す平面図。
【図７】第１実施形態の配送伝票の変形例を示す断面図。
【図８】第２実施形態の配送伝票を示す断面図。
【図９】第２実施形態の配送伝票の変形例を示す断面図。
【図１０】第３実施形態の配送伝票を裏面から見た平面図。
【図１１】第３実施形態の配送伝票の断面図。
【図１２】第３実施形態の配送伝票から分離票を剥がす時の状態を示す平面図。
【図１３】第３実施形態の配送伝票の変形例を示す断面図。
【図１４】裏面基材に設けられた剥離片の変形例を示す平面図。
【図１５】従来の配送伝票を示す平面図。
【図１６】図１５のＢ−Ｂ断面図。
【図１７】従来の配送伝票の剥離片を剥がす時の状態を示す断面図。
【図１８】従来の配送伝票から分離票を剥がす時の状態を示す平面図。
【発明を実施するための形態】
【００１５】
以下、本発明を実施するための形態について、図面を参照しながら説明する。
【００１６】
〔第１実施形態〕
図１〜７は本発明の配送伝票の第１実施形態を示すものである。
【００１７】
図１〜３に示すように、本実施形態の配送伝票１０は、通信販売業者や百貨店業者が商品を配送する際に使用するものであり、接着力を有する透視可能な接着剤層１１と、接着剤層１１の表面に貼付された表面基材１２と、接着剤層１１の裏面に貼付された裏面基材１３とからなる３枚構造を有している。
【００１８】
接着剤層１１は、接着剤を硬化させて薄い層状に成形したものであり、無色透明や有色透明で下層の表示を透視可能になっている。なお、接着剤層１１は透視可能であれば、透明でなく半透明であっても良い。
【００１９】
表面基材１２は、印刷可能なものであればその素材は特に限定されず、例えばプリンタ適性に優れた上質紙を使用することができる。また、上質紙以外に、普通紙、再生紙等の各種紙類や、ポリエステルフィルム、ポリプロピレンフィルム等の各種樹脂フィルムを使用しても良い。裏面基材１３も同様に、印刷可能なものであればその素材は特に限定されず、表面基材１２と同じ素材を使用することができる。
【００２０】
接着剤層１１と表面基材１２は、剥離剤層１４を介して擬似接着されている。本実施形態では、表面基材１２の裏面全体に剥離剤を塗工した剥離剤層１４が設けられており、表面基材１２が剥離剤層１４と接着剤層１１との境界面で剥離可能になっている。剥離剤としては、例えばシリコーンを含有しないメジウム（体質顔料のみをビヒクルに分散した無色インキ）や、シリコーンを含有した剥離オーバープリントニス（体質顔料を含まない無色透明インキ）等を使用することができる。
【００２１】
表面基材１２には、接着剤層１１に向けてハーフカット加工を施したハーフカット部（以下これを「表面側ハーフカット部」という）１５が設けられている。この表面側ハーフカット部１５は、表面基材１２の上面から剥離剤層１４と接着剤層１１の境界面まで到達する深さに切り込み形成され、表面基材１２を本票１６と分離票１７に区切っている。本実施形態では表面側ハーフカット部１５が表面基材１２の略中央部を縦断する位置に設定されており、左側半分の本票１６が貼付票として機能し、右側半分の分離票１７が受領票として機能する。なお、分離票１７にはその左下の角を切り落としたコーナーカット部１８が形成されている。
【００２２】
接着剤層１１と裏面基材１３は、粘着剤層１９を介して貼り合わされている。本実施形態では接着剤層１１の裏面全体に粘着剤を塗布した粘着剤層１９が設けられており、粘着剤層１９によって接着剤層１１が被着体に貼付される。粘着剤としては、ゴム系、アクリル系、ホットメルト系、シリコーン系等の各種粘着剤を使用することができるが、この中でも特にラベル用途のアクリル系エマルジョン型粘着剤が好適である。ただし、この粘着剤もまた接着剤層１１を構成する接着剤と同様に、下層の表示を透視できるように透明又は半透明なものを使用する。
【００２３】
裏面基材１３には、接着剤層１１に向けてハーフカット加工を施したハーフカット部（以下これを「裏面側ハーフカット部」という）２１が設けられている。この裏面側ハーフカット部２１は、裏面基材１３の下面から粘着剤層１９まで到達する深さに切り込み形成され、裏面基材１３を本票１６に対向した剥離片２２と分離票１７に対向した非剥離片２３に区切っている。本実施形態では、図２に示すように裏面側ハーフカット部２１が分離票１７の輪郭よりもひと回り小さいサイズの輪郭を有するように設定されており、裏面側ハーフカット部２１の外側の領域が剥離片２２として機能し、内側の領域が非剥離片２３として機能する。
【００２４】
剥離片２２と粘着剤層１９は、剥離剤層２４を介して貼り合わされている。本実施形態では、剥離片２２から非剥離片２３に一部はみ出すように剥離剤を塗工した剥離剤層２４が設けられており、剥離片２２が剥離剤層２４と粘着剤層１９との境界面で剥離可能になっている。ここで、剥離剤を余分に塗工した理由は、裏面側ハーフカット部２１の加工時の位置ずれを吸収するためである。剥離剤としては、上述したメジウムや剥離オーバープリントニスを使用することができる。
【００２５】
非剥離片２３と粘着剤層１９は直に接着されている。本実施形態では、非剥離片２３の表面に情報表示部２５が設けられており、非剥離片２３が粘着剤層１９に直に接触することで剥離不能になっている。なお、情報表示部２５には通信販売業者や百貨店業者が利用者に伝達したい情報として、例えば宣伝や広告等を印刷することができる。
【００２６】
上記の構成からなる配送伝票１０は、下記の手順により製造される。
【００２７】
まず、表面基材１２の裏面に剥離剤を塗工して剥離剤層１４を形成し、剥離剤層１４の上にこの剥離剤層１４を介して表面基材１２を擬似接着させることのできる接着剤を塗布する。塗布した接着剤を硬化させて接着剤層１１を形成し、次いで、接着剤層１１の裏面全体に粘着剤を塗布して粘着剤層１９を形成する。一方、裏面基材１３について、剥離片２２の表面に剥離剤を塗布して乾燥させた剥離剤層２４を形成し、非剥離片２３の表面に宣伝や広告等の情報表示部２５を予め印刷する。
【００２８】
そして、表面基材１２の裏面にある粘着剤層１９と裏面基材１３の表面にある剥離剤層２４とを対向させ、両者を貼り合わせる。その後、表面基材１２と裏面基材１３にそれぞれハーフカット加工を施して表面側ハーフカット部１５と裏面側ハーフカット部２１を形成する。そして、最後に表面基材１２の本票１６と分離票１７に伝票番号記入欄２６、配送情報記入欄２７、商品番号記入欄２８及び受領印欄２９を印刷すれば、配送伝票１０が完成する。
【００２９】
以上が本実施形態の配送伝票の構成であり、以下にその使用方法を説明する。
【００３０】
商品の配送注文を受けた通信販売業者や百貨店業者は、まずプリンタで配送伝票１０に所定事項を印字する。配送伝票１０には、本票１６と分離票１７の伝票番号記入欄２６に伝票番号が印字され、配送情報記入欄２７に商品の送り主や送り先等の配送情報が印字され、商品番号記入欄２８には注文された商品の商品番号が印字される。これらの所定事項が印字された配送伝票１０は、配送する商品と共に配送業者に委託される。
【００３１】
配送業者は、配送すべき商品に配送伝票１０を貼付する。図４に示すように、配送伝票１０を裏返し、裏面側ハーフカット部２１を境にして剥離片２２を剥がす。ここで、図５に示すように、非剥離片２３は粘着剤層１９に直に接着されているのに対して、剥離片２２は剥離剤層２４によって接着力が弱められているので、非剥離片２３を残した状態で剥離片２２だけを粘着剤層１９から剥がし取ることができる。そして、裏面の周縁部に露出した粘着剤層１９によって、商品を梱包した箱に配送伝票１０を貼り付けて、配送伝票１０に表示された配達情報に従って商品を配達する。
【００３２】
配送業者は商品を配達した際、分離票１７の受領印欄２９に受取人の捺印又はサインをもらう。そして、図６に示すように分離票１７のコーナーカット部１８を摘んで分離票１７を本票１６から切り離し、配達控えとして持ち帰る。このとき、分離票１７は剥離剤層１４によって接着力が弱められているので、分離票１７だけを接着剤層１１から簡単に剥がし取ることができる。また、本票１６と分離票１７の境界には予めカット加工された表面側ハーフカット部１５が設けられているので、ミシン目を切断する作業が不要であり、本票１６と分離票１７を互いに破損することなく確実に切り離すことができる。
【００３３】
分離票１７を切り離すと、商品の梱包箱（被着体）１００は、図６のように分離票１７の下面に残された接着剤層１１と非剥離片２３が現れるので、梱包箱１００の地肌が完全に露出することがなく外観見栄えを損なわない。また、接着剤層１１は透視可能な接着剤により構成されているので、接着剤層１１を通してその下層の非剥離片２３に印刷された情報表示部２５の内容を透かして読み取ることが可能である。
【００３４】
このように、本実施形態の配送伝票１０によれば、情報表示部２５に印刷された宣伝や広告を受取人に伝達することができる。しかも、情報表示部２５は接着剤層１１によって覆われているので、従来の配送伝票１と違って、分離票１７を非剥離片２３よりも小さなサイズに設定しなければならないという制約が無くなる。したがって、分離票１７のサイズや形状を自由に設定することが可能になり、分離票１７に印刷される送り主や送り先等の配送情報の印刷スペースを広く確保することができる。
【００３５】
なお、本実施形態において、接着剤層１１の裏面には情報表示部２５の部分に粘着剤層１９が塗工されているが、非剥離片２３が剥がれないように接着されていれば良いので、図７に示すように非剥離片２３の周縁部のみを接着し、情報表示部２５の部分に粘着剤層１９が塗工されていなくても良い。
【００３６】
〔第２実施形態〕
図８と図９は本発明の配送伝票の第２実施形態を示すものである。
【００３７】
図８に示すように、本実施形態の配送伝票１０は、接着剤層１１と表面基材１２と裏面基材１３からなる３枚構造である点では上述した実施形態と同じであるが、接着剤層１１と剥離剤層１４の形成箇所が異なっている。
【００３８】
すなわち、接着剤層１１を構成する接着剤は高価な材料であるため、製造コストを重視した場合、接着剤の使用量はなるべく少ない方が良い。また、接着剤層１１は少なくとも非剥離片２３の部分を覆うことができる最小限の面積で充分である。そこで、本実施形態では本票１６の一部の領域と分離票１７の全部の領域に限定して接着剤層１１が形成されており、これに対応して、裏面に剥離剤層１４を塗工した分離票１７が剥離可能に擬似接着されている。また、本票１６の部分は粘着剤層１９によって剥離不能に接着されている。すなわち、本実施形態では、本票１６の部分では表面基材１２の裏面に直接、分離票１７の部分では接着剤層１１の裏面に、それぞれ粘着剤を塗布した粘着剤層１９が設けられている。なお、プリンタ適性を考慮すると、本票１６の部分の粘着剤層１９を分離票１７の部分より厚く塗布して、配送伝票１０全体を同じ厚さにするのが好ましい。
【００３９】
本実施形態の配送伝票１０によれば、高価な接着剤層１１の面積が小さくて済むので、第１実施形態のものに比べてより低コストで製造することが可能になる。また、第１実施形態と同様に、裏面側ハーフカット部２１を境に非剥離片２３を残した状態で剥離片２２だけを剥がし取れば、裏面の周縁部に露出した粘着剤層１９によって配送伝票１０を被着体に貼り付けることができる。そして、商品の配達後、分離票１７を本票１６から切り離して剥がし取ると、接着剤層１１と非剥離片２３が現れ、接着剤層１１を通してその下層の非剥離片２３に印刷された情報表示部２５を透かして見ることができる。
【００４０】
なお、本実施形態でも接着剤層１１の裏面には情報表示部２５の部分に粘着剤層１９が塗工されているが、上記と同様の理由から、図９に示すように非剥離片２３の周縁部のみを接着し、情報表示部２５の部分に粘着剤層１９が塗工されていなくても良い。
【００４１】
〔第３実施形態〕
図１０〜１３は本発明の配送伝票の第３実施形態を示すものである。
【００４２】
図１０と図１１に示すように、本実施形態の配送伝票１０は、接着剤層１１と表面基材１２と裏面基材１３からなる３枚構造である点では上述した実施形態と同じであるが、非剥離片２３の形成箇所が異なっている。
【００４３】
すなわち、第１実施形態と第２実施形態の構成によると、分離票１７を剥がし取った際に接着剤層１１のみで非剥離片２３の情報表示部２５を支持することになるので、強度不足になる恐れがある。そこで、本実施形態では裏面側ハーフカット部２１が表面側ハーフカット部１５から本票１６側にずらした位置に配置されており、上述した実施形態のものよりも非剥離片２３の面積が大きく設定されている。
【００４４】
本実施形態の配送伝票１０によれば、上述した実施形態と同様な効果が得られるとともに、図１２に示すように配送伝票１０から分離票１７を剥がし取った際に、非剥離片２３の一辺が商品の梱包箱（被着体）１００に貼付された本票１６によって支持される。このため、非剥離片２３が接着剤層１１だけでなく本票１６によって補強されるので、情報表示部２５を確実に保持することができる。
【００４５】
なお、本実施形態でも接着剤層１１の裏面には情報表示部２５の部分に粘着剤層１９が塗工されているが、上記と同様の理由から、図１３に示すように非剥離片２３の周縁部のみを接着し、情報表示部２５の部分に粘着剤層１９が塗工されていなくても良い。
【００４６】
以上説明した実施形態では、図２や図９のように非剥離片２３の周縁部に設けた剥離片２２を剥がし取るようにしたが、これに代えて、図１４に示すような各種の形態を採用することもできる。
【００４７】
例えば、図１４（ａ）は裏面基材１３の周縁２辺に沿って「ニ」字形の裏面側ハーフカット部２１Ａを形成した例であり、同図（ｂ）は裏面基材１３の周縁３辺に沿って「コ」字形の裏面側ハーフカット部２１Ｂを形成した例であり、同図（ｃ）は裏面基材１３の周縁４辺に沿って「ロ」字形に裏面側ハーフカット部２１Ｃを形成した例である。そして、これらの裏面側ハーフカット部２１Ａ，２１Ｂ，２１Ｃの外側部分に設けられた剥離片２２をそれぞれ剥がして貼り付けるようになっている。
【００４８】
これらの例のように、裏面基材１３には、その周囲に接着可能な幅の剥離片２２が設けられていて、少なくとも裏面基材１３の一部を残す形で非剥離片２３が設けられていれば良い。
【００４９】
また、上述した実施形態では分離票１７の裏面に剥離剤層１４が設けられ、剥がした後の分離票１７が再貼付できないように擬似接着されているが、これに代えて、分離票１７の裏面に粘着剤層を設け、これと対向する接着剤層１１の表面に剥離剤層を設けること等によって、剥がした後の分離票１７が再貼付できるように擬似接着されていても良い。これにより、剥がした後の分離票１７を配達記録として伝票処理台帳等に貼り付けて管理することもできる。
【符号の説明】
【００５０】
１０…配送伝票
１１…接着剤層
１２…表面基材
１３…裏面基材
１４…剥離剤層
１５…表面側ハーフカット部
１６…本票
１７…分離票
１８…コーナーカット部
１９…粘着剤層
２１…裏面側ハーフカット部
２２…剥離片
２３…非剥離片
２４…剥離剤層
２５…情報表示部
２６…伝票番号記入欄
２７…配送情報記入欄
２８…商品番号記入欄
２９…受領印欄
【図１】
2011121362.tif 000003
【図２】
2011121362.tif 000004
【図３】
2011121362.tif 000005
【図４】
2011121362.tif 000006
【図５】
2011121362.tif 000007
【図６】
2011121362.tif 000008
【図７】
2011121362.tif 000009
【図８】
2011121362.tif 000010
【図９】
2011121362.tif 000011
【図１０】
2011121362.tif 000012
【図１１】
2011121362.tif 000013
【図１２】
2011121362.tif 000014
【図１３】
2011121362.tif 000015
【図１４】
2011121362.tif 000016
【図１５】
2011121362.tif 000017
【図１６】
2011121362.tif 000018
【図１７】
2011121362.tif 000019
【図１８】
2011121362.tif 000020